(57)【要約】【課題】コアネットワークに障害が発生した場合にも正常な通信機能を保証すること。【解決手段】本発明の処理方法は、ソース基地局に接続するソースコアネットワークに障害が発生したことをソース基地局が検出した場合、ソース基地局が、隣接するターゲット基地局を介して、ターゲット基地局に接続するターゲットコアネットワークへ要求メッセージを送信し、ターゲットコアネットワークが、要求メッセージに応じて、ソース基地局のために通信チャネルを確立し、ターゲット基地局を介して、ターゲットコアネットワークから返された確認メッセージを受信し、ソース端末のユーザデータをターゲットコアネットワークに伝送し、ターゲットコアネットワークがソース端末のユーザデータを処理し、ターゲットコアネットワークがターゲット基地局を介して返された処理後のデータ情報を受信し、処理後のデータ情報をターゲット端末グループに送信する。【選択図】図１
2013537757.tif 000002
【特許請求の範囲】
【請求項１】
デジタルトランキングシステムに基づくフェイルソフト処理のための処理方法であって、
ソース基地局に接続するソースコアネットワークに障害が発生したことをソース基地局が検出した場合、ソース基地局が、当該ソース基地局に隣接するターゲット基地局を介して、ターゲット基地局に接続するターゲットコアネットワークへ要求メッセージを送信し、ターゲットコアネットワークが、前記要求メッセージに応じて、ソース基地局のために通信チャネルを確立し、
ターゲット基地局を介して、ターゲットコアネットワークから返された確認メッセージを受信し、
ターゲット基地局を介してソース端末のユーザデータをターゲットコアネットワークに伝送し、ターゲットコアネットワークがソース端末のユーザデータを処理し、
ターゲットコアネットワークがターゲット基地局を介して返された処理後のデータ情報を受信し、前記処理後のデータ情報をターゲット端末グループに送信する
ことを特徴とするデジタルトランキングシステムに基づくフェイルソフト処理のための処理方法。
【請求項２】
前記要求メッセージは、障害識別子情報、ソース基地局識別子及び／又は第１のトランスペアレントコンテナを含み、
前記第１のトランスペアレントコンテナは、トランキンググループＩＤ、トランキンググループ一時ＩＤ、トランキンググループのセキュリティ・認証情報、トランキンググループにおける端末のセキュリティ・認証情報、端末のアクセスベアラ情報、端末のコンテキスト情報及び／又はサービスベアラユーザプレーンデータ伝送情報を含む
ことを特徴とする請求項１に記載の処理方法。
【請求項３】
前記確認メッセージは、障害識別子情報、ソース基地局識別子及び／又は第２のトランスペアレントコンテナを含み、
前記第２のトランスペアレントコンテナは、トランキンググループＩＤ、トランキンググループ一時ＩＤ及び／又はサービスベアラユーザプレーンデータ伝送情報を含む
ことを特徴とする請求項１に記載の処理方法。
【請求項４】
ソース基地局に接続するソースコアネットワークに障害が発生したことをソース基地局が検出した場合、ソース基地局が、当該ソース基地局に隣接するターゲット基地局を介して、ターゲット基地局に接続するターゲットコアネットワークへ要求メッセージを送信し、ターゲットコアネットワークが、前記要求メッセージに応じて、ソース基地局のために通信チャネルを確立するステップは、
ソース基地局に接続するソースコアネットワークに障害が発生したことをソース基地局が検出し、ソース端末から送信されたユーザデータをソース基地局が受信した後に、ソース基地局が、当該ソース基地局に隣接するターゲット基地局を介して、ターゲット基地局に接続するターゲットコアネットワークへ要求メッセージを送信し、ターゲットコアネットワークが、前記要求メッセージに応じて、ソース基地局のために通信チャネルを確立することを更に含む
ことを特徴とする請求項１から３のいずれか１項に記載の処理方法。
【請求項５】
前記ソース基地局は、ソースマクロワイヤレスブロードバンドアクセス基地局、ソースマイクロワイヤレスブロードバンドアクセス基地局又はソース発展型基地局ｅＮｏｄｅＢである
ことを特徴とする請求項４に記載の方法。
【請求項６】
デジタルトランキングシステムに基づくフェイルソフト処理のための基地局であって、
ソース基地局に接続するソースコアネットワークに障害が発生したことを検出した場合、前記基地局に隣接するターゲット基地局を介して、ターゲット基地局に接続するターゲットコアネットワークへ要求メッセージを送信し、ターゲットコアネットワークが、前記要求メッセージに応じて、ソース基地局のために通信チャネルを確立するように構成された送信モジュールと、
ターゲット基地局を介して、ターゲットコアネットワークから返された確認メッセージを受信するように構成された受信モジュールと、
ターゲット基地局を介してソース端末ユーザデータをターゲットコアネットワークに伝送し、ターゲットコアネットワークがソース端末のユーザデータを処理するように構成されたデータ伝送モジュールと、
ターゲットコアネットワークのターゲット基地局を介して返された処理後のデータ情報を受信し、前記処理後のデータ情報をターゲット端末グループに送信するように構成された送受信モジュールとを含む
ことを特徴とするデジタルトランキングシステムに基づくフェイルソフト処理基地局。
【請求項７】
前記要求メッセージは、障害識別子情報、ソース基地局識別子及び／又は第１のトランスペアレントコンテナを含み、
前記第１のトランスペアレントコンテナは、トランキンググループＩＤ、トランキンググループ一時ＩＤ、トランキンググループのセキュリティ・認証情報、トランキンググループにおける端末のセキュリティ・認証情報、端末のアクセスベアラ情報、端末のコンテキスト情報及び／又はサービスベアラユーザプレーンデータ伝送情報を含む
ことを特徴とする請求項６に記載の基地局。
【請求項８】
前記確認メッセージは、障害識別子情報、ソース基地局識別子及び／又は第２のトランスペアレントコンテナを含み、
前記第２のトランスペアレントコンテナは、トランキンググループＩＤ、トランキンググループ一時ＩＤ及び／又はサービスベアラユーザプレーンデータ伝送情報を含む
ことを特徴とする請求項７に記載の基地局。
【請求項９】
前記送信モジュールは、更に、ソース基地局に接続するソースコアネットワークに障害が発生したことを検出し、ソース端末から送信されたユーザデータを受信した後に、ソース基地局が、当該ソース基地局に隣接するターゲット基地局を介して、ターゲット基地局に接続するターゲットコアネットワークへ要求メッセージを送信し、ターゲットコアネットワークが、前記要求メッセージに応じて、ソース基地局のために通信チャネルを確立するように構成されている
ことを特徴とする請求項６、７又は８に記載の基地局。
【請求項１０】
前記ソース基地局は、ソースマクロワイヤレスブロードバンドアクセス基地局、ソースマイクロワイヤレスブロードバンドアクセス基地局又はソース発展型基地局ｅＮｏｄｅＢである
ことを特徴とする請求項９に記載の基地局。
【発明の詳細な説明】
【技術分野】
【０００１】
本発明は、デジタルトランキングシステムにおけるフェイルソフトの処理技術に関する。本発明は、特に、ロング・ターム・エボリューション（ＬＴＥ：Ｌｏｎｇ  Ｔｅｒｍ  Ｅｖｏｌｕｔｉｏｎ）システムにおいて、デジタルトランキングシステムに基づくフェイルソフトのための処理方法及び基地局に関する。
【背景技術】
【０００２】
現在、トランキング通信システムは、業界ユーザのコマンドやスケジューリングなどの要求を満たすために発達しており、特に、特定業界に向けて応用される専用の無線通信システムである。トランキング通信システムは、主に以下の点で、公衆無線移動体通信システムとは異なる。すなわち、トランキング通信システムは、携帯電話の双方向呼出機能に加えて、システムでのグループ（セット）呼出、一斉呼出も提供でき、更に通信の優先度を確立し、そして優先度呼出や緊急呼出などのような一般的な携帯電話が持たない通信を行うことができる。また、トランキング通信システムは、動的再構成、システムにおける仮想プライベートネットワークなどのような特殊機能を提供できることもできる。これらの特徴は、特に、警察や国家安全部門向けの専用の通信に適用されるとともに、空港や税関や公共交通機関や災害救援などのコマンドやスケジューリングのための要求に適する。そのため、トランキング通信システムは、政府部門、公共安全、緊急通信、電気、民間航空、石油化学、軍事及び企業などのような分野における広範な応用を提供する多用途で高性能の無線通信システムであり、世界中の公衆無線移動体通信ネットワークから独立している専用通信ネットワークを形成する。
【０００３】
トランキング通信システムでは、多数の無線ユーザが少数の無線チャネルを共有できるため、重要な無線リソースを十分に節約でき、且つチャネル利用率が高い。
【０００４】
トランキング通信システムは、主に半二重モード通信を採用し、動作時にプッシュツートーク（Ｐｕｓｈ  Ｔｏ  Ｔａｌｋ）キーを介してチャネルの取得及び開放を制御する。トランキング通信システムにおけるブロードバンドトランキング通信システムは、主に「音声」、「データ」及び「ビデオ」の３タイプの基本的なサービスモードを中心としてブロードバンドサービスタイプを広げるが、ＬＴＥシステムの高帯域幅は、上記のサービスの実現、及びそのサービスの拡張により有利である。
【０００５】
従来技術では、トランキング通信システムは、主に、端末（ＵＥ：Ｕｓｅｒ  Ｅｑｕｉｐｍｅｎｔ）、無線ブロードバンドアクセスシステム及びネットワークサブシステム（ネットワーク側）などから構成されている。端末は、主に、携帯端末、車載端末、固定局、無線ディスパッチコンソール及び有線ディスパッチコンソールなどを含む。無線ブロードバンドアクセスシステムは主に基地局から構成され、ネットワークサブシステムは主にコアネットワーク（ＣＮ：Ｃｏｒｅ  Ｎｅｔｗｏｒｋ）から構成される。他の無線通信システムと類似するように、トランキング通信システムにおける通信モードは全て上記のネットワークエレメント間の連携により通信する。トランキング通信システムは、軍事、公共安全及び緊急不測事態などに多く用いられるため、無線ブロードバンドアクセスシステムは、より高い障害許容能力とともに余剰のバックアップ機能が要求され、ネットワーク側（つまりコアネットワーク）に障害が発生した場合でも、トランキングユーザが通信できることを保証し、ネットワーク側の障害による影響をできるだけ弱めて、そしてネットワーク側の障害によるリスクを最小限に抑えることが求められる。
【発明の概要】
【発明が解決しようとする課題】
【０００６】
しかしながら、従来技術では、トランキング通信システムは、ネットワーク側に障害が発生した場合に、ネットワーク側の障害による影響を充分に弱めることができない。
【０００７】
本発明の主な目的は、コアネットワークに障害が発生した場合に、コアネットワーク障害によるトランキング通信システムへの影響を最小限にして、正常な通信機能を保証する、デジタルトランキングシステムに基づくフェイルソフトのための処理方法及び基地局を提供することにある。
【課題を解決するための手段】
【０００８】
本発明に係るデジタルトランキングシステムに基づくフェイルソフト処理のための処理方法では、
ソース基地局に接続するソースコアネットワークに障害が発生したことをソース基地局が検出した場合、ソース基地局が、当該ソース基地局に隣接するターゲット基地局を介して、ターゲット基地局に接続するターゲットコアネットワークへ要求メッセージを送信し、ターゲットコアネットワークが、前記要求メッセージに応じて、ソース基地局のために通信チャネルを確立し、
ターゲット基地局を介して、ターゲットコアネットワークから返された確認メッセージを受信し、
ターゲット基地局を介してソース端末ユーザデータをターゲットコアネットワークに伝送し、ターゲットコアネットワークが、ソース端末のユーザデータを処理し、
ターゲットコアネットワークがターゲット基地局を介して返された処理後のデータ情報を受信し、前記処理後のデータ情報をターゲット端末グループに送信する。
【０００９】
好ましくは、前記要求メッセージは、障害識別子情報、ソース基地局識別子及び／又は第１のトランスペアレントコンテナを含む。ここで、前記第１のトランスペアレントコンテナは、トランキンググループＩＤ、トランキンググループ一時ＩＤ、トランキンググループのセキュリティ・認証情報、トランキンググループにおける端末のセキュリティ・認証情報、端末のアクセスベアラ情報、端末のコンテキスト情報及び／又はサービスベアラユーザプレーンデータ伝送情報を含む。
【００１０】
好ましくは、前記確認メッセージは、障害識別子情報、ソース基地局識別子及び／又は第２のトランスペアレントコンテナを含む。ここで、前記第２のトランスペアレントコンテナは、トランキンググループＩＤ、トランキンググループ一時ＩＤ及び／又はサービスベアラユーザプレーンデータ伝送情報を含む。
【００１１】
好ましくは、ソース基地局に接続するソースコアネットワークに障害が発生したことをソース基地局が検出した場合、ソース基地局が、当該ソース基地局に隣接するターゲット基地局を介して、ターゲット基地局に接続するターゲットコアネットワークへ要求メッセージを送信し、ターゲットコアネットワークが、前記要求メッセージに応じて、ソース基地局のために通信チャネルを確立するステップは、
ソース基地局に接続するソースコアネットワークに障害が発生したことをソース基地局が検出し、ソース端末から送信されたユーザデータをソース基地局が受信した後に、ソース基地局が、当該ソース基地局に隣接するターゲット基地局を介して、ターゲット基地局に接続するターゲットコアネットワークへ要求メッセージを送信し、ターゲットコアネットワークが、前記要求メッセージに応じて、ソース基地局のために通信チャネルを確立することを更に含む。
【００１２】
好ましくは、前記ソース基地局は、ソースマクロワイヤレスブロードバンドアクセス基地局、ソースマイクロワイヤレスブロードバンドアクセス基地局又はソースｅＮｏｄｅＢである。
【００１３】
本発明に係るデジタルトランキングシステムに基づくフェイルソフト処理のための基地局は、
ソース基地局に接続するソースコアネットワークに障害が発生したことを検出した場合、前記基地局に隣接するターゲット基地局を介して、ターゲット基地局に接続するターゲットコアネットワークへ要求メッセージを送信し、ターゲットコアネットワークが、前記要求メッセージに応じて、ソース基地局のために通信チャネルを確立するように構成された送信モジュールと、
ターゲット基地局を介して、ターゲットコアネットワークから返された確認メッセージを受信するように構成された受信モジュールと、
ターゲット基地局を介してソース端末ユーザデータをターゲットコアネットワークに伝送し、ターゲットコアネットワークが、ソース端末のユーザデータを処理するように構成されたデータ伝送モジュールと、
ターゲットコアネットワークのターゲット基地局を介して返された処理後のデータ情報を受信し、前記処理後のデータ情報をターゲット端末グループに送信するように構成された送受信モジュールとを含む。
【００１４】
好ましくは、前記要求メッセージは、障害識別子情報、ソース基地局識別子及び／又は第１のトランスペアレントコンテナを含む。ここで、前記第１のトランスペアレントコンテナは、トランキンググループＩＤ、トランキンググループ一時ＩＤ、トランキンググループのセキュリティ・認証情報、トランキンググループにおける端末のセキュリティ・認証情報、端末のアクセスベアラ情報、端末のコンテキスト情報及び／又はサービスベアラユーザプレーンデータ伝送情報を含む。
【００１５】
好ましくは、前記確認メッセージは、障害識別子情報、ソース基地局識別子及び／又は第２のトランスペアレントコンテナを含む。ここで、前記第２のトランスペアレントコンテナは、トランキンググループＩＤ、トランキンググループ一時ＩＤ及び／又はサービスベアラユーザプレーンデータ伝送情報を含む。
【００１６】
好ましくは、前記送信モジュールは、更に、ソース基地局に接続するソースコアネットワークに障害が発生したことを検出し、ソース端末から送信されたユーザデータを受信した後に、ソース基地局が、当該ソース基地局に隣接するターゲット基地局を介して、ターゲット基地局に接続するターゲットコアネットワークへ要求メッセージを送信し、ターゲットコアネットワークが、前記要求メッセージに応じて、ソース基地局のために通信チャネルを確立するように構成されている。
【００１７】
好ましくは、前記ソース基地局は、ソースマクロワイヤレスブロードバンドアクセス基地局、ソースマイクロワイヤレスブロードバンドアクセス基地局又はソース発展型基地局ｅＮｏｄｅＢである。
【発明の効果】
【００１８】
本発明は、デジタルトランキングシステムに基づくフェイルソフト処理のための処理方法及び基地局を提供する。ソース基地局に接続するソースコアネットワークに障害が発生したことをソース基地局が検出した場合、ソース基地局に隣接するターゲット基地局に接続するターゲットコアネットワークが、サービスをソース基地局のために提供する。ソース基地局とターゲットコアネットワークとの間の通信はターゲット基地局によって伝送され、及び転送され、これにより、コアネットワーク障害によるトランキング通信システムへの影響が最小限となり、ソース端末におけるトランキングユーザが引き続きそのターゲット端末グループと正常に通信できることを保証する。
【図面の簡単な説明】
【００１９】
【図１】本発明に係るデジタルトランキングシステムに基づくフェイルソフト処理のための処理方法の実施形態を示すフローチャートである。
【図２】本発明に係るデジタルトランキングシステムに基づくフェイルソフト処理のための処理方法の別の実施形態を示すフローチャートである。
【図３】本発明に係るデジタルトランキングシステムに基づくフェイルソフト処理のための処理装置の実施形態の構成を示す図である。
【発明を実施するための形態】
【００２０】
本発明の実施形態における解決策は、主として、ソース基地局に接続するソースコアネットワークに障害が発生したことをソース基地局が検出した場合、ソース基地局に隣接するターゲット基地局に接続するターゲットコアネットワークが、サービスをソース基地局のために提供する。ソース基地局とターゲットコアネットワークとの間の通信はソース基地局に接続するターゲット基地局によって伝送され、及び転送され、これにより、ソース端末におけるトランキングユーザが引き続きそのターゲット端末グループと正常に通信できることを保証する。
【００２１】
図１に示すように、本発明の実施形態に係るデジタルトランキングシステムに基づくフェイルソフト処理のための処理方法は、以下のステップを含む。
【００２２】
ステップＳ１０１：ソース基地局に接続するソースコアネットワークに障害が発生したことをソース基地局が検出した場合、ソース基地局が、当該ソース基地局に隣接するターゲット基地局を介して、ターゲット基地局に接続するターゲットコアネットワークへ要求メッセージを送信し、ターゲットコアネットワークが、前記要求メッセージに応じて、ソース基地局のために通信チャネルを確立する。
【００２３】
本実施形態に係る方法の動作環境は、トランキングコールを開始する端末（ＵＥ：Ｕｓｅｒ  Ｅｑｕｉｐｍｅｎｔ）、端末のユーザデータを受信して端末に無線接続する基地局（即ち、従来技術における無線ブロードバンドアクセスシステム）、及び基地局に有線接続して当該基地局のためにサービスを提供するコアネットワーク（即ち、従来技術におけるネットワークサブシステム）を含む。
【００２４】
本実施形態において、ソース基地局（本実施形態ではソース端末のユーザデータを受信する基地局と称される）が、当該ソース基地局に接続するソースコアネットワークに障害が発生したことを検出した場合、ソース基地局は、当該ソース基地局に隣接するターゲット基地局に、ターゲット基地局のコアネットワークとの通信チャネルの確立を要求する要求メッセージを送信し、ターゲット基地局は、ソース基地局から送信された要求メッセージを受信した後、ソース基地局にサービスするターゲットコアネットワークを選択し、上記の要求メッセージを、選択されたターゲットコアネットワークに転送する。
【００２５】
ここで、上記の要求情報は、障害識別子情報、ソース基地局識別子（ソースワイヤレスブロードバンドアクセスシステム識別子であってよい）、及び（隣接マクロワイヤレスブロードバンドアクセスシステムによって解析されない）第１のトランスペアレントコンテナを含むがこれらに限られない。ここで、第１のトランスペアレントコンテナのコンテンツは、トランキンググループＩＤ、トランキンググループ一時ＩＤ、トランキンググループのセキュリティ・認証情報、トランキンググループにおける端末のセキュリティ・認証情報、端末のアクセスベアラ情報、端末のコンテキスト情報及びサービスベアラユーザプレーンデータ伝送情報などを含むがこれらに限られない。上記の要求情報における第１のトランスペアレントコンテナ内のサービスベアラユーザプレーンデータ伝送情報はソース基地局のためのアドレスを含む。
【００２６】
ターゲットコアネットワークは、当該要求情報を受信した後に、端末のコンテキスト情報の処理、ユーザアクセスベアラの更新、及びユーザプレーンデータチャネルの確立などを行って、ターゲット基地局を介してソース基地局へ確認メッセージを返信する。当該確認メッセージは、障害識別子情報、ソース基地局識別子及び第２のトランスペアレントコンテナを含むがこれらに限られない。ここで、第２のトランスペアレントコンテナは、トランキンググループＩＤ、トランキンググループ一時ＩＤ、及びサービスベアラユーザプレーンデータ伝送情報などを含むがこれらに限られない。上記の確認メッセージにおける第２のトランスペアレントコンテナ内のサービスベアラユーザプレーンデータ伝送情報はターゲットコアネットワークのためのアドレスを含む。
【００２７】
ステップＳ１０２：ターゲット基地局を介して、ターゲットコアネットワークから返された確認メッセージを受信する。
【００２８】
上記ように、ソース基地局は、ターゲット基地局を介して、ターゲットコアネットワークから返された確認メッセージを受信する。
【００２９】
ステップＳ１０３：ターゲット基地局を介してソース端末のユーザデータをターゲットコアネットワークに伝送し、ターゲットコアネットワークがソース端末のユーザデータを処理する。
【００３０】
本実施形態において、ソース基地局がターゲットコアネットワークによってターゲット基地局を介して返された確認メッセージを受信した後、ソース端末がトランキングコールを開始された場合、即ちソース基地局がソース端末から送信されたユーザデータを受信した場合、ソース基地局は、受信されたユーザデータを、ソース基地局に隣接するターゲット基地局を介して、ターゲット基地局に接続するコアネットワークに伝送し、ターゲットコアネットワークがユーザデータを処理し、ターゲットコアネットワークが、処理後のデータ情報を、ターゲット基地局を介してソース基地局に伝送する。ここで、ターゲットコアネットワークがユーザデータを処理することは、ソース端末のために、当該ソース端末のトランキングコールのターゲット端末グループを選択することを含む。
【００３１】
ステップＳ１０４：ターゲットコアネットワークがターゲット基地局を介して返された処理後のデータ情報を受信し、前記処理後のデータ情報をターゲット端末グループに送信する。
【００３２】
上記ように、ソース基地局は、ターゲット基地局を介して、ターゲットコアネットワークから返された処理後のデータ情報を受信した後、処理後のデータ情報を、そのトランキングコールのターゲット端末グループに送信する。
【００３３】
上記の処理方法によると、ソース基地局にサービスするコアネットワークに障害が発生した場合、ターゲット基地局（隣接するターゲット無線ブロードバンドアクセスシステム）のコアネットワークを介してソース基地局（ソースワイヤレスブロードバンドアクセスシステム）にサービスすることによって、端末間の通信、及び端末とネットワークとの間の通信を保証することが可能となる。
【００３４】
なお、本実施形態において、ソース基地局は、ソースマクロワイヤレスブロードバンドアクセス基地局、ソースマイクロワイヤレスブロードバンドアクセス基地局又はソース発展型基地局（ｅＮｏｄｅＢ：Ｅｖｏｌｖｅｄ  Ｎｏｄｅ  Ｂ）などであってよい。ここで、ソースマクロワイヤレスブロードバンドアクセス基地局に対応するターゲット基地局はターゲットマクロワイヤレスブロードバンドアクセス基地局であり、ソースマイクロワイヤレスブロードバンドアクセス基地局に対応するターゲット基地局はターゲットマイクロワイヤレスブロードバンドアクセス基地局であり、ソースｅＮｏｄｅＢに対応するターゲット基地局はターゲットｅＮｏｄｅＢであり、且つターゲットｅＮｏｄｅＢに接続するコアネットワークは発展型パケットコアネットワーク（ＥＰＣ：Ｅｖｏｌｖｅｄ  Ｐａｃｋｅｔ  Ｃｏｒｅ）である。
【００３５】
本実施形態では、ソース基地局が、当該ソース基地局に接続するソースコアネットワークに障害が発生したことを検出した場合、ソース基地局に隣接するターゲット基地局に接続するターゲットコアネットワークによって、サービスが提供され、ソース基地局とターゲットコアネットワークとの間の通信がターゲット基地局を介して伝送され、及び転送され、コアネットワークにおける障害によるトランキング通信システムへの影響を最小限にし、ソース端末トランキングユーザが引き続きそのターゲット端末グループと正常に通信できることを保証する。
【００３６】
図２に示すように、本発明の別の実施形態に係るデジタルトランキングシステムに基づくフェイルソフト処理のための処理方法では、上記の実施形態に基づき、ステップＳ１０１は、以下の内容を更に含む。
【００３７】
ステップＳ１０１１：ソース基地局に接続するコアネットワークに障害が発生したことをソース基地局が検出し、ソース端末から送信されたユーザデータをソース基地局が受信した後、ソース基地局が、当該ソース基地局に隣接するターゲット基地局を介して、ターゲット基地局に接続するターゲットコアネットワークへ要求メッセージを送信し、ターゲットコアネットワークが、前記要求メッセージに応じて、ソース基地局のために通信チャネルを確立する。
【００３８】
本実施形態と上記の実施形態との相違点は、ソース基地局が、当該ソース基地局に接続するソースコアネットワークに障害が発生した場合、当該ソース基地局はすぐにはソース基地局に隣接するターゲット基地局へ要求メッセージを送信しない。その代わりに、ソース端末がトランキングコールを開始する場合、即ちソース基地局がソース端末から送信されたユーザデータを受信した場合に、ソース基地局が、当該ソース基地局に隣接するターゲット基地局へ要求メッセージを送信する。後続の処理プロセスは、上記の実施形態と同じであるため、ここで繰り返して説明しない。
【００３９】
図３に示すように、本発明の実施形態に係るデジタルトランキングシステムに基づくフェイルソフト処理のための基地局は、以下の構成を具備する。
【００４０】
送信モジュール３０１は、ソース基地局に接続するソースコアネットワークに障害が発生したことを検出した場合、前記基地局に隣接するターゲット基地局を介して、ターゲット基地局に接続するターゲットコアネットワークへ要求メッセージを送信し、ターゲットコアネットワークが、前記要求メッセージに応じて、ソース基地局のために通信チャネルを確立するように構成されている。
【００４１】
受信モジュール３０２は、ターゲット基地局を介して、ターゲットコアネットワークから返された確認メッセージを受信するように構成されている。
【００４２】
データ伝送モジュール３０３は、ターゲット基地局を介してソース端末ユーザデータをターゲットコアネットワークに伝送し、ターゲットコアネットワークがソース端末ユーザデータを処理するように構成されている。
【００４３】
送受信モジュール３０４は、ターゲットコアネットワークのターゲット基地局を介して返された処理後のデータ情報を受信し、処理後のデータ情報をターゲット端末グループに送信する。
【００４４】
本実施形態における基地局は、トランキングコールを開始した端末に無線ネットワークと接続され、端末がトランキングコールを開始する時のユーザデータを受信する。本実施形態における基地局は、従来技術における無線ブロードバンドアクセスシステムに対応し、上記の基地局は、当該基地局にサービスするコアネットワーク（即ち従来技術におけるネットワークサブシステム）と有線接続される。
【００４５】
本実施形態において、基地局は、当該基地局に接続するソースコアネットワークに障害が発生したことを検出した場合、送信モジュール３０１を介して、当該基地局に隣接するターゲット基地局へ、ターゲット基地局のコアネットワークとの通信チャネルの確立を要求する要求メッセージを送信する。ターゲット基地局は、ソース基地局から送信された要求メッセージを受信した後、ソース基地局にサービスするターゲットコアネットワークを選択し、上記の要求メッセージを、選択されたターゲットコアネットワークに転送する。
【００４６】
ここで、上記の要求メッセージは、障害識別子情報、ソース基地局識別子（ソースブロードバンドワイヤレスアクセスシステム識別子であってよい）、及び（隣接マクロ無線ブロードバンドアクセスシステムによって解析されない）第１のトランスペアレントコンテナを含むがこれらに限られない。ここで、第１のトランスペアレントコンテナのコンテンツは、トランキンググループＩＤ、トランキンググループ一時ＩＤ、トランキンググループのセキュリティ・認証情報、トランキンググループにおける端末のセキュリティ・認証情報、端末のアクセスベアラ情報、端末のコンテキスト情報及びサービスベアラユーザプレーンデータ伝送情報などを含むがこれらに限られない。上記の要求情報における第１のトランスペアレントコンテナ内のサービスベアラユーザプレーンデータ伝送情報はソース基地局のためのアドレスを含む。
【００４７】
ターゲットコアネットワークは、当該要求メッセージを受信した後、端末のコンテキスト情報の処理、ユーザアクセスベアラの更新、及びユーザプレーンデータチャネルの確立などを行って、ターゲット基地局を介してソース基地局へ確認メッセージを返す。当該確認メッセージは、障害識別子情報、ソース基地局識別子及び第２のトランスペアレントコンテナを含むがこれらに限られない。ここで、第２のトランスペアレントコンテナがランキンググループＩＤ、トランキンググループ一時ＩＤ及びサービスベアラユーザプレーンデータ伝送情報などを含むがこれらに限定されない。上記の確認メッセージにおける第２のトランスペアレントコンテナ内のサービスベアラユーザプレーンデータ伝送情報はターゲットコアネットワークアドレスを含む。
【００４８】
ソース基地局の受信モジュール３０２がターゲットコアネットワークによってターゲット基地局を介して返された確認メッセージを受信した後、ソース端末がトランキングコールを開始する場合、即ちソース基地局がソース端末から送信されたユーザデータを受信する場合、ソース基地局のデータ伝送モジュール３０３は、受信されたユーザデータを、ソース基地局に隣接するターゲット基地局を介して、ターゲット基地局に接続するコアネットワークに伝送し、ターゲットコアネットワークは、ユーザデータを処理し、処理後のユーザデータを、ターゲット基地局を介してソース基地局に伝送する。ここで、ターゲットコアネットワークがユーザデータを処理することは、ソース端末のために当該ソース端末のトランキングコールターゲット端末グループを選択することを含む。
【００４９】
ソース基地局の送受信モジュール３０４は、ターゲット基地局を介して、ターゲットコアネットワークから返された処理後のデータ情報を受信した後、処理後のデータ情報を、そのトランキングコールのターゲット端末グループに送信する。
【００５０】
なお、本実施形態において、ソース基地局がソースマクロワイヤレスブロードバンドアクセス基地局、ソースマイクロワイヤレスブロードバンドアクセス基地局又はソース発展型基地局ｅＮｏｄｅＢなどであってよい。ここで、ソースマクロワイヤレスブロードバンドアクセス基地局に対応するターゲット基地局はターゲットマクロワイヤレスブロードバンドアクセス基地局であり、ソースマイクロワイヤレスブロードバンドアクセス基地局に対応するターゲット基地局はターゲットマイクロワイヤレスブロードバンドアクセス基地局であり、ソースｅＮｏｄｅＢに対応するターゲット基地局はターゲットｅＮｏｄｅＢであり、且つターゲットｅＮｏｄｅＢに接続するコアネットワークはＥＰＣである。
【００５１】
更に、送信モジュール３０１は、ソース基地局が、当該ソース基地局に接続するソースコアネットワークに障害が発生したことを検出し、ソース端末から送信されたユーザデータを受信した後に、ソース基地局が、当該ソース基地局に隣接するターゲット基地局を介して、ターゲット基地局に接続するターゲットコアネットワークへ要求メッセージを送信し、ターゲットコアネットワークが、前記要求メッセージに応じて、ソース基地局のために通信チャネルを確立するように構成されている。
【００５２】
本発明の実施形態では、ソース基地局が、当該ソース基地局に接続するソースコアネットワークに障害が発生したことを検出した場合、ソース基地局に隣接するターゲット基地局に接続するターゲットコアネットワークが、サービスをソース基地局に提供し、ソース基地局とターゲット基地局との間の通信がターゲット基地局を介して伝送され、及び転送され、コアネットワーク障害によるトランキング通信システムへの影響を最小限とし、ソース端末のトランキングユーザが引き続きそのターゲット端末グループと正常に通信できることを保証する。
【００５３】
上記のものは、本発明の好適な実施形態に過ぎず、本発明の範囲を限定することを意図しない。本発明の明細書及び図に基づいて作成される当等の構造またはフローの変更及び他の関連技術領域に直接または間接に応用することは、すべて本発明の保護範囲に属する。
【図１】
2013537757.tif 000003
【図２】
2013537757.tif 000004
【図３】
2013537757.tif 000005
【国際調査報告】
2013537757.tif 000006
2013537757.tif 000007
2013537757.tif 000008
2013537757.tif 000009